(57)【特許請求の範囲】
【請求項１】
インボリュート歯形の多数の外歯(12)を有する軸(11)を、内歯接手部材の内歯内に接続するようにしたインボリュートスプライン継手の構造において、前記各外歯(12)のうちの１対の外歯(12)を除去して形成され先端方向に向けて浅くなるテーパ部(12a)と、前記外歯(12)の外周に設けられ複数割りされたアダプタ片(13a)を有するアダプタ(13)と、前記アダプタ片(13a)に形成され前記テーパ部(12a)のみに対応して形成された補助外歯(13b)とを備え、前記アダプタ(13)の軸方向移動により前記テーパ部(12a)に沿って各アダプタ片(13a)の補助外歯(13b)が前記軸(11)の径方向に拡大又は縮小するように構成したことを特徴とするインボリュートスプライン継手の構造。
【請求項２】
前記テーパ部(12a)は、互いに１８０°対向する位置に設けられ、前記アダプタ片(13a)は１対よりなることを特徴とする請求項１記載のインボリュートスプライン継手の構造。
【発明の詳細な説明】
【０００１】
【発明の属する技術分野】
本発明は、インボリュートスプライン継手の構造に関し、特に、内歯内に挿入する軸の外歯に割りアダプタを設け、このアダプタの移動によって補助外歯を径方向に拡大又は縮小させ、内歯との間のバックラッシュを除去するための新規な改良に関する。
【０００２】
【従来の技術】
機械装置において、２本の軸を連結する際に使用されるスプライン式軸継手の一形式として、スプラインの断面形状にインボリュート歯形を利用した軸継手、すなわちインボリュートスプライン継手がある。このインボリュートスプライン継手は、相互に噛み合い可能なインボリュート歯形の、外歯歯車および内歯歯車の何れか一方を形成された一組の継手部材により構成されている。
【０００３】
このように構成されるインボリュートスプライン継手は、軸芯を一直線にして連結される２本の軸において、一方の軸端に外歯歯車の継手部材が固定され、他方の軸端に内歯歯車の継手部材が固定され、両継手部材の歯車が噛み合わされて設置される。
【０００４】
【発明が解決しようとする課題】
従来のインボリュートスプライン継手は以上のように構成されていることにより、次のような課題が存在している。すなわち、インボリュートスプライン継手は、連結または開放が容易であることが特徴の一つであるが、そのために、両継手部材の歯形間にバックラッシュが必要であり、噛み合い状態の隙間を零にすることができない。
【０００５】
従って、両継手部材間、すなわち、連結される２本の軸が完全に一体化することができず、ガタが発生する。その結果、連結される軸の間で精密あるいは正確な力の伝達ができない。
【０００６】
本発明は、以上のような課題を解決するためになされたもので、特に、内歯内に挿入する軸の外歯に割りアダプタを設け、このアダプタの移動によって補助外歯を径方向に拡大又は縮小させ、内歯との間のバックラッシュを除去するようにしたインボリュートスプライン継手の構造を提供することを目的とする。
【０００７】
【課題を解決するための手段】
本発明によるインボリュートスプライン継手の構造は、インボリュート歯形の多数の外歯を有する軸を、内歯接手部材の内歯内に接続するようにしたインボリュートスプライン継手の構造において、前記各外歯のうちの１対の外歯を除去して形成され先端方向に向けて浅くなるテーパ部と、前記外歯の外周に設けられ複数割りされたアダプタ片を有するアダプタと、前記アダプタ片に形成され前記テーパ部のみに対応して形成された補助外歯とを備え、前記アダプタの軸方向移動により前記テーパ部に沿って各アダプタ片の補助外歯が前記軸の径方向に拡大又は縮小するようにした構成であり、さらに、前記テーパ部は、互いに１８０°対向する位置に設けられ、前記アダプタ片は１対よりなる構成である。
【０００８】
【発明の実施の形態】
以下、図面と共に本発明によるインボリュートスプライン継手の構造の好適な実施の形態について詳細に説明する。図１はインボリュートスプライン継手の外歯継手部材を示す断面図、図２は図１の分解図、図３は図２の矢視III図である。
【０００９】
図において、符号１０で示されるものはインボリュートスプライン継手の外歯継手部材であり、この実施の形態では外歯歯車をなす多数の外歯１２が軸１１自体の軸端に直接形成され、外歯継手部材１０の軸１１と外歯１２が一体化して構成されている。この実施の形態における前記外歯継手部材１０は、前記外歯１２と、前記軸１１の軸端部に装着されるアダプタ１３と、により構成されている。
【００１０】
前記外歯１２は、円周方向において等分割する２箇所（すなわち１８０°対向する位置）、例えば、歯数が１０の場合、互いに対向する１番目および６番目の歯が削り取られ、削り取られた後の溝が軸端方向へ浅くなるようにテーパ状に構成されテーパ部１２ａが形成されている。なお、歯数が偶数の場合は、丁度等分割の歯が選択可能であるが、歯数が奇数の場合は、ほぼ等分割の位置の歯を選択する。
【００１１】
前記アダプタ１３は、前記軸１１の先端部に装着可能な円筒体を二つ割りした１対のアダプタ片１３ａで構成されており、各アダプタ片１３ａの先端側に前記外歯１２と同じ形状の１山の補助外歯１３ｂが設けられている。前記補助外歯１３ｂは、二つ割りの前記アダプタ１３が合わされて前記軸１１の先端部に装着される状態で、前記外歯１２のテーパ部１２ａに対応してはまり込むとともに、補助外歯１３ｂの内面１３ｃがテーパ部１２ａのテーパと同一傾斜になるように構成されている。
【００１２】
以上のように構成される外歯継手部材１０において、先ず、二つ割りのアダプタ片１３ａを、補助外歯１３ｂが外歯１２のテーパ部１２ａにはまり込み、軸１１の反先端側に寄せられた状態で軸１１に装着する（図１の状態）。この状態では、補助外歯１３ｂの山の高さが外歯１２の外径以下になっている。
【００１３】
次に、上記の状態の外歯継手部材１０を図示しない内歯継手部材の内歯内に挿入する。外歯継手部材１０の外歯１２と内歯継手部材（図示せず）の内歯との間には、僅かな隙間（バックラッシュ）が設けてあり、外歯１２およびアダプタ１３は、容易に内歯へ挿入される。
【００１４】
次に、アダプタ１３のみを軸１１の先端方向へ図示しない治具によって矢印Ａの方向に押出すことにより、補助外歯１３ｂがテーパ部１２ａのテーパに沿って前進し、外歯１２の外周を超えて矢印Ｂの方向に突出する。その結果、補助外歯１３ｂの両側歯面が内歯に密着しバックラッシュが零となり、インボリュートスプライン継手が完全に一体化されて連結される。すなわち、補助外歯１３ｂは外歯１２と内歯を一体化し、テーパ部１２ａのテーパのくさび効果により固定される。
【００１５】
連結状態を開放するには、アダプタ１３を前述と逆の反軸端方向へ後退させることにより、補助外歯１３ｂと内歯との密着状態が開放され、内歯から外歯１２およびアダプタ１３を容易に抜出すことができる。従って、アダプタ１３を軸方向に移動させることにより、各補助外歯１３ｂがテーパ部１２ａに沿って軸方向と直交する方向に拡大又は縮小する方向に移動する。
なお、前述の実施の形態では、アダプタを２つ割りとして用いているが、２つ割り以上とすることも可能である。
【００１６】
【発明の効果】
本発明によるインボリュートスプライン継手の構造は、以上のように構成されているため、次のような効果を得ることができる。すなわち、軸の外歯に複数割りし補助外歯を有するアダプタ片からなるアダプタを軸方向移動自在に設けているため、このアダプタを装着した状態で外歯を内歯内に挿入し、アダプタを軸方向移動させると、補助外歯が外側へ拡大し、外歯と内歯間のバックラッシュを除去することができる。
【図面の簡単な説明】
【図１】本発明によるインボリュートスプライン継手の構造を示す断面図である。
【図２】図１の分解断面図である。
【図３】図２を右側からみた分解図である。
【符号の説明】
１１    軸
１２    外歯
１２ａ    テーパ部
１３    アダプタ
１３ａ    アダプタ片
１３ｂ    補助外歯
【図１】
0003921292.tif 000002
【図２】
0003921292.tif 000003
【図３】
0003921292.tif 000004